(57)【要約】【課題】搬送路に原稿が存在する状態でカバーが閉止された際に、原稿が損傷を受けるのを防止する。【解決手段】本発明の原稿搬送装置１２は、原稿Ｘの搬送路ＣＰを覆う閉止位置と搬送路ＣＰを露出させる開放位置との間で移動するカバー１７と、原稿Ｘを検知する検知機構２１、２２と、を備え、検知機構２１、２２は、搬送路ＣＰを通過する原稿Ｘに押圧されて非作動位置から作動位置まで回転するアクチュエーター５３、６８と、アクチュエーター５３、６８の回転を検知するセンサー５４、６９と、を備え、搬送路ＣＰに原稿Ｘが存在すると共にアクチュエーター５３、６８が非作動位置にある状態でカバー１７が開放位置から閉止位置まで移動すると、カバー１７が原稿Ｘを押圧し、アクチュエーター５３、６８を非作動位置から作動位置側に回転させる方向の力Ｆが原稿Ｘからアクチュエーター５３、６８に対して加わることを特徴とする。【選択図】図４
2017208686.tif 000002
【特許請求の範囲】
【請求項１】
原稿の搬送路を覆う閉止位置と、前記搬送路を露出させる開放位置と、の間で移動するカバーと、
前記搬送路を通過する原稿を検知する検知機構と、を備え、
前記検知機構は、
前記搬送路を通過する原稿に押圧されて非作動位置から作動位置まで回転するアクチュエーターと、
前記アクチュエーターの回転を検知するセンサーと、を備え、
前記搬送路に原稿が存在すると共に前記アクチュエーターが前記非作動位置にある状態で前記カバーが前記開放位置から前記閉止位置まで移動すると、前記カバーが原稿を押圧し、前記アクチュエーターを前記非作動位置から前記作動位置側に回転させる方向の力が原稿から前記アクチュエーターに対して加わることを特徴とする原稿搬送装置。
【請求項２】
前記アクチュエーターは、前記搬送路を通過する原稿と当接可能な当接面を備え、
前記当接面は、前記アクチュエーターが前記非作動位置にある状態で、前記搬送路と直交することを特徴とする請求項１に記載の原稿搬送装置。
【請求項３】
前記アクチュエーターは、
前記アクチュエーターの回転中心となる支点部と、
前記支点部から前記搬送路側に向かって延びるアーム部と、を備え、
前記アーム部は、
前記アクチュエーターが前記非作動位置にある状態で、原稿搬送方向下流側に向かって前記搬送路に接近する方向に直線状に延びる基端部と、
前記アクチュエーターが前記非作動位置にある状態で、前記基端部の前記搬送路側の端部から前記搬送路と直交する方向に直線状に延びる先端部と、を備え、
前記当接面は、前記先端部の原稿搬送方向上流側の面に形成されていることを特徴とする請求項２に記載の原稿搬送装置。
【請求項４】
前記カバーが前記閉止位置にある状態で前記カバーの内面と前記搬送路を介して対向する対向面を有するベース部材を更に備え、
前記アクチュエーターは、前記ベース部材に回転可能に支持され、前記対向面から前記搬送路に突出することを特徴とする請求項１〜３のいずれか１項に記載の原稿搬送装置。
【請求項５】
前記搬送路へと原稿を送り出す給紙機構と、
前記搬送路を通過する原稿を読み取る読取機構と、を更に備え、
前記アクチュエーターは、前記給紙機構と前記読取機構の間の前記搬送路上に複数設けられていることを特徴とする請求項１〜４のいずれか１項に記載の原稿搬送装置。
【請求項６】
前記給紙機構と前記読取機構の間に設けられ、前記搬送路に沿って原稿を搬送する搬送部材を更に備え、
前記複数のアクチュエーターは、
前記搬送部材の原稿搬送方向上流側に設けられる上流側アクチュエーターと、
前記搬送部材の原稿搬送方向下流側に設けられる下流側アクチュエーターと、を含み、
前記上流側アクチュエーター及び前記下流側アクチュエーターは、原稿搬送方向と直交する原稿幅方向に見て、前記搬送部材と部分的に重なるように配置されていることを特徴とする請求項５に記載の原稿搬送装置。
【請求項７】
請求項１〜６のいずれか１項に記載の原稿搬送装置を備えていることを特徴とする画像形成装置。
【発明の詳細な説明】
【技術分野】
【０００１】
本発明は、搬送路に沿って原稿を搬送する原稿搬送装置とこの原稿搬送装置を備えた画像形成装置に関する。
【背景技術】
【０００２】
従来、電子写真方式の画像形成装置には、搬送路に沿って原稿を搬送する原稿搬送装置が設けられている。この原稿搬送装置は、例えば、搬送路を通過する原稿を検知する検知機構を備えている（特許文献１参照）。
【先行技術文献】
【特許文献】
【０００３】
【特許文献１】特開２０１３−１８７７５７号公報
【発明の概要】
【発明が解決しようとする課題】
【０００４】
上記のような原稿搬送装置では、開閉可能なカバーによって原稿の搬送路が覆われる場合がある。このような場合に、搬送路に原稿が存在する状態でカバーが閉止されると、カバーによって原稿が検知機構の一部に押し付けられ、原稿が損傷を受ける恐れがある。
【０００５】
そこで、本発明は上記事情を考慮し、搬送路に原稿が存在する状態でカバーが閉止された際に、原稿が損傷を受けるのを防止することを目的とする。
【課題を解決するための手段】
【０００６】
本発明の原稿搬送装置は、原稿の搬送路を覆う閉止位置と、前記搬送路を露出させる開放位置と、の間で移動するカバーと、前記搬送路を通過する原稿を検知する検知機構と、を備え、前記検知機構は、前記搬送路を通過する原稿に押圧されて非作動位置から作動位置まで回転するアクチュエーターと、前記アクチュエーターの回転を検知するセンサーと、を備え、前記搬送路に原稿が存在すると共に前記アクチュエーターが前記非作動位置にある状態で前記カバーが前記開放位置から前記閉止位置まで移動すると、前記カバーが原稿を押圧し、前記アクチュエーターを前記非作動位置から前記作動位置側に回転させる方向の力が原稿から前記アクチュエーターに対して加わることを特徴とする。
【０００７】
前記アクチュエーターは、前記搬送路を通過する原稿と当接可能な当接面を備え、前記当接面は、前記アクチュエーターが前記非作動位置にある状態で、前記搬送路と直交しても良い。
【０００８】
前記アクチュエーターは、前記アクチュエーターの回転中心となる支点部と、前記支点部から前記搬送路側に向かって延びるアーム部と、を備え、前記アーム部は、前記アクチュエーターが前記非作動位置にある状態で、原稿搬送方向下流側に向かって前記搬送路に接近する方向に直線状に延びる基端部と、前記アクチュエーターが前記非作動位置にある状態で、前記基端部の前記搬送路側の端部から前記搬送路と直交する方向に直線状に延びる先端部と、を備え、前記当接面は、前記先端部の原稿搬送方向上流側の面に形成されていても良い。
【０００９】
前記原稿搬送装置は、前記カバーが前記閉止位置にある状態で前記カバーの内面と前記搬送路を介して対向する対向面を有するベース部材を更に備え、前記アクチュエーターは、前記ベース部材に回転可能に支持され、前記対向面から前記搬送路に突出しても良い。
【００１０】
前記原稿搬送装置は、前記搬送路へと原稿を送り出す給紙機構と、前記搬送路を通過する原稿を読み取る読取機構と、を更に備え、前記アクチュエーターは、前記給紙機構と前記読取機構の間の前記搬送路上に複数設けられていても良い。
【００１１】
前記原稿搬送装置は、前記給紙機構と前記読取機構の間に設けられ、前記搬送路に沿って原稿を搬送する搬送部材を更に備え、前記複数のアクチュエーターは、前記搬送部材の原稿搬送方向上流側に設けられる上流側アクチュエーターと、前記搬送部材の原稿搬送方向下流側に設けられる下流側アクチュエーターと、を含み、前記上流側アクチュエーター及び前記下流側アクチュエーターは、原稿搬送方向と直交する原稿幅方向に見て、前記搬送部材と部分的に重なるように配置されていても良い。
【００１２】
本発明の画像形成装置は、上記原稿搬送装置を備えている。
【発明の効果】
【００１３】
本発明によれば、搬送路に原稿が存在する状態でカバーが閉止された際に、原稿が損傷を受けるのを防止することが可能となる。
【図面の簡単な説明】
【００１４】
【図１】本発明の一実施形態に係る複合機を模式的に示す正面図である。
【図２】本発明の一実施形態に係る原稿搬送装置を示す斜視図である。
【図３】本発明の一実施形態に係る原稿搬送装置において、カバーが閉止位置にある状態を示す断面図である。
【図４】本発明の一実施形態に係る原稿搬送装置において、カバーが開放位置にある状態を示す断面図である。
【図５】本発明の一実施形態に係る原稿搬送装置において、搬送路を原稿が通過していない状態を示す図３のＺ部分の拡大断面図である。
【図６】本発明の一実施形態に係る原稿搬送装置において、搬送路を原稿が通過している状態を示す図３のＺ部分の拡大断面図である。
【図７Ａ】本発明の他の異なる実施形態に係る下流側アクチュエーターを示す正面図である。
【図７Ｂ】本発明の一実施形態に係る下流側アクチュエーターを示す正面図である。
【発明を実施するための形態】
【００１５】
以下、図面を参照しつつ、本発明の一実施形態に係る複合機１（画像形成装置）について説明する。各図に適宜付される矢印Ｆｒ、Ｒｒ、Ｌ、Ｒ、Ｕ、Ｌｏは、それぞれ複合機１の前側、後側、左側、右側、上側、下側を示している。
【００１６】
まず、複合機１の全体の構成について説明する。
【００１７】
図１に示されるように、複合機１は、箱型形状の複合機本体２（装置本体）を備えている。複合機本体２の上端部には、原稿上の画像を読み取るための画像読取装置３が設けられている。複合機本体２の上部には、排紙面４が設けられている。複合機本体２の略中央部には、中間転写ベルト５と４個の画像形成部６が収容されている。４個の画像形成部６は、それぞれ、ブラック、シアン、マゼンタ、イエローのトナーに対応している。複合機本体２の下部には、露光装置７が収容されている。複合機本体２の下端部には、用紙Ｓ（記録媒体）を収納する給紙カセット８が収容されている。
【００１８】
複合機本体２の右側部には、用紙Ｓの搬送経路Ｐ１が設けられている。搬送経路Ｐ１の上流端部には、給紙部９が設けられている。搬送経路Ｐ１の中流部には、二次転写部１０が設けられている。搬送経路Ｐ１の下流部には、定着装置１１が設けられている。搬送経路Ｐ１の右側には、両面印刷用の反転経路Ｐ２が設けられている。
【００１９】
複合機１は、複合機本体２の上方に原稿搬送装置１２を備えている。原稿搬送装置１２は、画像読取装置３へと原稿を自動的に搬送する機能を備えている。
【００２０】
次に、複合機１の動作について説明する。
【００２１】
まず、露光装置７からの光（図１の二点鎖線矢印参照）によって、各画像形成部６において静電潜像が形成される。この静電潜像は、各画像形成部６においてトナー像に現像される。このトナー像は、各画像形成部６から中間転写ベルト５に一次転写される。これにより、中間転写ベルト５上にフルカラーのトナー像が形成される。
【００２２】
また、給紙部９によって給紙カセット８から取り出された用紙Ｓは、搬送経路Ｐ１を下流側へと搬送されて、二次転写部１０に進入する。この二次転写部１０において、中間転写ベルト５上に形成されたフルカラーのトナー像が用紙Ｓに二次転写される。トナー像を二次転写された用紙Ｓは、搬送経路Ｐ１を更に下流側へと搬送されて、定着装置１１に進入する。この定着装置１１において、用紙Ｓにトナー像が定着される。トナー像が定着された用紙Ｓは、排紙面４上に排出されるか、又は、両面印刷のために反転経路Ｐ２へと搬送される。
【００２３】
次に、原稿搬送装置１２について更に説明する。
【００２４】
図２を参照して、原稿搬送装置１２は、複合機本体２の上端部に取り付けられている。原稿搬送装置１２は、複合機本体２の上面に設けられる原稿載置面１４を開閉可能に覆っている。
【００２５】
図３を参照して、原稿搬送装置１２は、ベース部材１６と、ベース部材１６の左上方を覆うカバー１７と、ベース部材１６の上部に取り付けられる給紙機構１８と、ベース部材１６の左側部に取り付けられる読取機構１９と、給紙機構１８と読取機構１９の間に設けられる上流側検知機構２１及び下流側検知機構２２と、を備えている。
【００２６】
まず、原稿搬送装置１２のベース部材１６について説明する。
【００２７】
図２を参照して、ベース部材１６は、前後一対の保持フレーム２４と、前後一対の保持フレーム２４の間に設けられる搬送フレーム２５と、搬送フレーム２５の右上方に設けられる給紙トレイ２６と、給紙トレイ２６の下方に設けられる排紙トレイ２７と、を備えている。
【００２８】
ベース部材１６の前後一対の保持フレーム２４は、前後方向に間隔をおいて対向している。各保持フレーム２４の内面には、搬送フレーム２５の前後両端部が固定されている。これにより、前後一対の保持フレーム２４が搬送フレーム２５を保持している。
【００２９】
図３を参照して、ベース部材１６の搬送フレーム２５の外面には、対向面３０が設けられており、この対向面３０に沿って原稿Ｘの搬送路ＣＰが形成されている。なお、各図に適宜付される矢印Ｙは、搬送路ＣＰにおける原稿Ｘの搬送方向（以下、搬送方向Ｙと称する）を示している。以下、単に「搬送方向上流側」又は「搬送方向下流側」と記載する場合には、搬送方向Ｙにおける上流側又は下流側を指すものとする。
【００３０】
ベース部材１６の搬送フレーム２５には、搬送路ＣＰに沿って第１〜第３搬送ローラー３１〜３３が回転可能に取り付けられている。第１搬送ローラー３１（搬送部材）は、給紙機構１８と読取機構１９の間に設けられている。
【００３１】
ベース部材１６の搬送フレーム２５の下面には、排出面３６が設けられており、この排出面３６に沿って原稿Ｘの排出路ＥＰが形成されている。搬送路ＣＰと排出路ＥＰの間には、読取領域ＲＡが形成されている。搬送フレーム２５には、排出路ＥＰに沿って排出ローラー３４が回転可能に取り付けられている。
【００３２】
ベース部材１６の給紙トレイ２６は、搬送路ＣＰの上流端部に接続されている。給紙トレイ２６には、原稿Ｘがセットされている。以下、給紙トレイ２６にセットされた状態における原稿Ｘの上面を原稿Ｘの表面と称し、給紙トレイ２６にセットされた状態における原稿Ｘの下面を原稿Ｘの裏面と称する。
【００３３】
ベース部材１６の排紙トレイ２７は、搬送路ＣＰの下流端部に接続されている。排紙トレイ２７の左端側には、排出プーリー３５が回転可能に設けられている。排出プーリー３５は、排出ローラー３４に圧接している。
【００３４】
次に、原稿搬送装置１２のカバー１７について説明する。
【００３５】
図３、図４を参照して、カバー１７の下端部には支軸４０が設けられており、この支軸４０を介してカバー１７がベース部材１６に取り付けられている。カバー１７は、搬送路ＣＰを覆う閉止位置（図３参照）と、搬送路ＣＰを露出させる開放位置（図４参照）と、の間で支軸４０を中心に回転するように構成されている。
【００３６】
カバー１７の内面は、カバー１７が閉止位置（図３参照）にある状態で、ベース部材１６の搬送フレーム２５の対向面３０と搬送路ＣＰを介して対向している。カバー１７には、第１〜第３搬送プーリー４１〜４３が回転可能に取り付けられている。第１〜第３搬送プーリー４１〜４３は、第１〜第３搬送ローラー３１〜３３にそれぞれ圧接している。
【００３７】
次に、原稿搬送装置１２の給紙機構１８について説明する。
【００３８】
図５を参照して、給紙機構１８は、給紙ローラー４５と、給紙ローラー４５の右方に設けられるピックアップローラー４６と、を備えている。
【００３９】
給紙機構１８の給紙ローラー４５は、第１駆動軸４８を中心に回転可能に設けられている。給紙ローラー４５は、モーターなどによって構成される駆動源４９に第１駆動軸４８を介して接続されており、駆動源４９の回転駆動力が第１駆動軸４８を介して給紙ローラー４５に伝達されることで、給紙ローラー４５が回転するように構成されている。つまり、駆動源４９によって給紙ローラー４５を回転させるように構成されている。
【００４０】
給紙機構１８のピックアップローラー４６は、第２駆動軸５０を中心に回転可能に設けられている。ピックアップローラー４６は、アイドルギア５１を介して第１駆動軸４８に接続されており、駆動源４９の回転駆動力が第１駆動軸４８及びアイドルギア５１を介してピックアップローラー４６に伝達されることで、ピックアップローラー４６が回転するように構成されている。つまり、駆動源４９によってピックアップローラー４６を回転させるように構成されている。
【００４１】
次に、原稿搬送装置１２の読取機構１９について説明する。
【００４２】
図３を参照して、読取機構１９は、第１搬送ローラー３１と第２搬送ローラー３２の間に設けられている。読取機構１９は、例えば、ＣＩＳ（Contact  Image  Sensor）によって構成されており、原稿Ｘの裏面に密着して原稿Ｘの裏面上の画像を読み取る機能を有している。
【００４３】
次に、原稿搬送装置１２の上流側検知機構２１について説明する。
【００４４】
図５を参照して、上流側検知機構２１は、上流側アクチュエーター５３と、上流側アクチュエーター５３の下側に設けられる上流側センサー５４と、を備えている。
【００４５】
上流側検知機構２１の上流側アクチュエーター５３は、ベース部材１６の搬送フレーム２５に回転可能に支持されている。上流側アクチュエーター５３は、給紙機構１８と読取機構１９の間の搬送路ＣＰ上に設けられている。上流側アクチュエーター５３は、第１搬送ローラー３１の右側（搬送方向上流側）に設けられている。上流側アクチュエーター５３は、前後方向（搬送方向Ｙと直交する原稿幅方向）に見て、第１搬送ローラー３１と部分的に重なるように配置されている。
【００４６】
上流側アクチュエーター５３は、支点部５６と、支点部５６から上側（搬送路ＣＰ側）に向かって延びるアーム部５７と、支点部５６から下側（搬送路ＣＰとは離間する側）に向かって延びる被検知部５８と、を備えている。
【００４７】
上流側アクチュエーター５３は、非作動位置（図５参照）と作動位置（図６参照）の間で支点部５６を中心に回転可能に設けられている。上流側アクチュエーター５３は、支点部５６に巻き付けられたねじりコイルバネ５９（付勢部材）によって非作動位置（図５参照）に付勢されている。
【００４８】
上流側アクチュエーター５３のアーム部５７は、基端部６１と、基端部６１の上側に設けられる先端部６２と、を備えている。基端部６１は、上流側アクチュエーター５３が非作動位置（図５参照）にある状態で、左上方（搬送方向下流側に向かって搬送路ＣＰに接近する方向）に直線状に延びている。先端部６２は、上流側アクチュエーター５３が非作動位置（図５参照）にある状態で、基端部６１の上端部（搬送路ＣＰ側の端部）から直上方（搬送路ＣＰと直交する方向）に直線状に延びている。
【００４９】
上流側アクチュエーター５３のアーム部５７の先端部６２は、上流側アクチュエーター５３の支点部５６よりも左側（搬送方向下流側）に位置している。先端部６２は、ベース部材１６の搬送フレーム２５の対向面３０から搬送路ＣＰに突出している。先端部６２の右面（搬送方向上流側の面）には、当接面６３が形成されている。当接面６３は、上流側アクチュエーター５３が非作動位置（図５参照）にある状態で、搬送路ＣＰと直交している。
【００５０】
上流側アクチュエーター５３の被検知部５８は、支点部５６よりも左側（搬送方向下流側）に突出する第１突片６５と、支点部５６よりも右側（搬送方向上流側）に突出する第２突片６６と、を備えている。第２突片６６は、第１突片６５よりも支点部５６から離れた位置に設けられている。
【００５１】
上流側検知機構２１の上流側センサー５４は、ＰＩセンサー（Photo  Interrupter  Sensor）によって構成されている。上流側センサー５４は、センサー光を発する発光部と、この発光部から発せられたセンサー光を受け取る受光部と、を備えている。
【００５２】
次に、原稿搬送装置１２の下流側検知機構２２について説明する。
【００５３】
図５を参照して、下流側検知機構２２は、下流側アクチュエーター６８と、下流側アクチュエーター６８の下側に設けられる下流側センサー６９と、を備えている。
【００５４】
下流側検知機構２２の下流側アクチュエーター６８は、ベース部材１６の搬送フレーム２５に回転可能に支持されている。下流側アクチュエーター６８は、給紙機構１８と読取機構１９の間の搬送路ＣＰ上に設けられている。下流側アクチュエーター６８は、第１搬送ローラー３１の左側（搬送方向下流側）に設けられている。下流側アクチュエーター６８は、前後方向（搬送方向Ｙと直交する原稿幅方向）に見て、第１搬送ローラー３１と部分的に重なるように配置されている。
【００５５】
下流側検知機構２２の下流側アクチュエーター６８及び下流側センサー６９の構成は、上流側検知機構２１の上流側アクチュエーター５３及び上流側センサー５４の構成と同様であるため、説明を省略する。なお、図面上において、下流側アクチュエーター６８の各部には、上流側アクチュエーター５３の対応部分と同一の参照符号が付されている。
【００５６】
上記のように構成された原稿搬送装置１２における原稿搬送動作について説明する。
【００５７】
原稿搬送動作が行われていない状態では、各アクチュエーター５３、６８がねじりコイルバネ５９の付勢力によって非作動位置（図５参照）に保持されており、各アクチュエーター５３、６８の被検知部５８が各センサー５４、６９の発光部から受光部に至る光路を遮っている。
【００５８】
原稿搬送動作を行う際には、駆動源４９によってピックアップローラー４６を回転させ、ピックアップローラー４６によって１枚又は複数枚の原稿Ｘを給紙トレイ２６から給紙ローラー４５へと送り出す。また、駆動源４９によって給紙ローラー４５を回転させ、給紙ローラー４５によって１枚の原稿Ｘを搬送路ＣＰへと送り出す。
【００５９】
このように搬送路ＣＰへと原稿Ｘが送り出されると、まず、搬送路ＣＰを通過する原稿Ｘの先端部（搬送方向上流側の端部）が上流側アクチュエーター５３の当接面６３に当接し、上流側アクチュエーター５３の当接面６３を押圧する。これにより、ねじりコイルバネ５９の付勢力に抗して上流側アクチュエーター５３が支点部５６を中心に非作動位置（図５参照）から作動位置（図６参照）まで正面視で反時計回りに回転する。この回転に伴って、上流側アクチュエーター５３の被検知部５８が上流側センサー５４の発光部から受光部に至る光路を開放し、上流側センサー５４が上流側アクチュエーター５３の回転を検知する。これに伴って、搬送路ＣＰを通過する原稿Ｘを上流側検知機構２１が検知する。
【００６０】
上流側検知機構２１を通過した原稿Ｘは、第１搬送ローラー３１及び第１搬送プーリー４１によって搬送路ＣＰに沿って搬送方向下流側へと搬送される。その後、搬送路ＣＰを通過する原稿Ｘの先端部が下流側アクチュエーター６８の当接面６３に当接し、下流側アクチュエーター６８の当接面６３を押圧する。これにより、ねじりコイルバネ５９の付勢力に抗して下流側アクチュエーター６８が支点部５６を中心に非作動位置（図５参照）から作動位置（図６参照）まで正面視で反時計回りに回転する。この回転に伴って、下流側アクチュエーター６８の被検知部５８が下流側センサー６９の発光部から受光部に至る光路を開放し、下流側センサー６９が下流側アクチュエーター６８の回転を検知する。これに伴って、搬送路ＣＰを通過する原稿Ｘを下流側検知機構２２が検知する。
【００６１】
図３を参照して、下流側検知機構２２を通過した原稿Ｘは、読取機構１９を通過する。その際に、搬送路ＣＰを通過する原稿Ｘの裏面上の画像が読取機構１９によって読み取られる。
【００６２】
読取機構１９を通過した原稿Ｘは、第２搬送ローラー３２及び第２搬送プーリー４２によって搬送路ＣＰに沿って搬送方向下流側へと搬送された後、第３搬送ローラー３３及び第３搬送プーリー４３によって搬送路ＣＰに沿って搬送方向下流側へと更に搬送され、読取領域ＲＡを通過する。その際に、読取領域ＲＡを通過する原稿Ｘの表面上の画像が複合機本体２の画像読取装置３によって読み取られる。
【００６３】
読取領域ＲＡを通過した原稿Ｘは、排出路ＥＰを通過し、排出ローラー３４及び排出プーリー３５によって排紙トレイ２７へと排出される。これにより、原稿搬送動作が完了する。
【００６４】
ところで、本発明の他の異なる実施形態では、図７Ａに示されるように、各アクチュエーター５３、６８（図７Ａでは下流側アクチュエーター６８のみを表示）が非作動位置にある状態で、各アクチュエーター５３、６８の当接面６３を搬送路ＣＰに対して傾斜させることも可能である。しかしながら、このような構成を採用すると、原稿Ｘが搬送路ＣＰの下側部分を通過する場合（二点鎖線Ｘ１参照）には原稿Ｘの先端部が検知ラインＤＬにおいて各アクチュエーター５３、６８の当接面６３に当接するのに対して、原稿Ｘが搬送路ＣＰの上側部分を通過する場合（二点鎖線Ｘ２参照）には原稿Ｘの先端部が検知ラインＤＬにおいて各アクチュエーター５３、６８の当接面６３に当接しない。その結果、原稿Ｘの先端部が搬送路ＣＰの上側部分を通過する場合には、原稿Ｘの先端部が搬送路ＣＰの下側部分を通過する場合よりも、原稿Ｘの先端部の検知タイミングが遅れてしまう。
【００６５】
そこで、本実施形態では、図７Ｂに示されるように、各アクチュエーター５３、６８が非作動位置にある状態で、各アクチュエーター５３、６８の当接面６３を搬送路ＣＰと直交させている。このような構成を採用することで、原稿Ｘの先端部が搬送路ＣＰの下側部分を通過する場合（二点鎖線Ｘ１参照）と原稿Ｘの先端部が搬送路ＣＰの上側部分を通過する場合（二点鎖線Ｘ２参照）の両方において、原稿Ｘの先端部が検知ラインＤＬにおいて各アクチュエーター５３、６８の当接面６３に当接することになる。つまり、原稿Ｘの先端部が搬送路ＣＰのどこを通過する場合でも、原稿Ｘの先端部が検知ラインＤＬにおいて各アクチュエーター５３、６８の当接面６３に当接することになる。これに伴って、各検知機構２１、２２による原稿Ｘの検知タイミングを安定させることが可能となる。
【００６６】
次に、上記のように構成された原稿搬送装置１２におけるＪＡＭ処理（紙詰まりの処理）について説明する。
【００６７】
原稿搬送装置１２の内部においてＪＡＭが発生すると、各アクチュエーター５３、６８が作動位置（図６参照）にある状態で原稿搬送装置１２が停止する。
【００６８】
この状態からＪＡＭ処理を行うには、まず、ユーザーがカバー１７を閉止位置（図３参照）から開放位置（図４参照）まで回転させる。これに伴って、原稿Ｘに対するカバー１７の押圧が解除され、ねじりコイルバネ５９の付勢力によって各アクチュエーター５３、６８が作動位置（図６参照）から非作動位置（図５参照）まで回転する。そのため、原稿Ｘは、各アクチュエーター５３、６８のアーム部５７の先端部６２によって僅かに上方に押し上げられる（図４参照）。
【００６９】
次に、ユーザーが搬送路ＣＰに詰まった原稿Ｘを取り除き、カバー１７を開放位置（図４参照）から閉止位置（図３参照）まで回転させる。これにより、ＪＡＭ処理が完了する。
【００７０】
ところで、各アクチュエーター５３、６８が非作動位置（図５参照）にある状態では、各アクチュエーター５３、６８のアーム部５７の先端部６２がベース部材１６の搬送フレーム２５の対向面３０から垂直に突出している。そのため、上記のようにユーザーがＪＡＭ処理を行う際に、万一、搬送路ＣＰに原稿Ｘが存在すると共に各アクチュエーター５３、６８が非作動位置（図５参照）にある状態でユーザーがカバー１７を開放位置（図４参照）から閉止位置（図３参照）まで回転させると、カバー１７によって原稿Ｘが各アクチュエーター５３、６８のアーム部５７の先端部６２に押し付けられ、原稿Ｘが損傷を受ける恐れがある。
【００７１】
しかしながら、本実施形態では上記のように、各アクチュエーター５３、６８のアーム部５７の先端部６２が各アクチュエーター５３、６８の支点部５６よりも左側（搬送方向下流側）に位置している。そのため、搬送路ＣＰに原稿Ｘが存在すると共に各アクチュエーター５３、６８が非作動位置（図５参照）にある状態でユーザーがカバー１７を開放位置（図４参照）から閉止位置（図３参照）まで回転させると、カバー１７が原稿Ｘを押圧し、各アクチュエーター５３、６８を非作動位置（図５参照）から作動位置（図６参照）側に回転させる方向の力Ｆ（図４参照）が原稿Ｘの裏面から各アクチュエーター５３、６８のアーム部５７の先端部６２に対して加わる。そのため、各アクチュエーター５３、６８が非作動位置（図５参照）から作動位置（図６参照）まで正面視で反時計回りに回転する。このような構成を採用することで、カバー１７によって原稿Ｘが各アクチュエーター５３、６８のアーム部５７の先端部６２に押し付けられるのを防止し、原稿Ｘが損傷を受けるのを抑制することが可能となる。
【００７２】
また、各アクチュエーター５３、６８のアーム部５７は、各アクチュエーター５３、６８が非作動位置（図５参照）にある状態で左上方（搬送方向下流側に向かって搬送路ＣＰに接近する方向）に直線状に延びる基端部６１と、各アクチュエーター５３、６８が非作動位置（図５参照）にある状態で基端部６１の上端部（搬送路ＣＰ側の端部）から直上方（搬送路ＣＰと直交する方向）に直線状に延びる先端部６２と、を備え、当接面６３は、先端部６２の右面（搬送方向上流側の面）に形成されている。このような構成を採用することで、簡易な構成を用いて、各検知機構２１、２２による原稿Ｘの検知タイミングを安定させることが可能となると共に原稿Ｘが損傷を受けるのを抑制することが可能となる。
【００７３】
また、各アクチュエーター５３、６８は、ベース部材１６の搬送フレーム２５に回転可能に支持され、搬送フレーム２５の対向面３０から搬送路ＣＰに突出している。このような構成を採用することで、各アクチュエーター５３、６８がカバー１７に回転可能に支持される場合と比較して、カバー１７の構成を簡易なものとすることが可能となる。
【００７４】
また、本実施形態では、給紙機構１８と読取機構１９の間の搬送路ＣＰ上に複数のアクチュエーター５３、６８が設けられている。このような構成を採用することで、給紙機構１８の給紙タイミングと読取機構１９の読み取りタイミングを正確に決定することが可能となる。
【００７５】
また、各アクチュエーター５３、６８は、前後方向（搬送方向Ｙと直交する原稿幅方向）に見て、第１搬送ローラー３１と部分的に重なるように配置されている。このような構成を採用することで、各アクチュエーター５３、６８を狭い空間内に配置することが可能となり、原稿搬送装置１２のコンパクト化を図ることができる。
【００７６】
本実施形態では、原稿搬送装置１２に複数の検知機構２１、２２が設けられる場合について説明した。一方で、他の異なる実施形態では、原稿搬送装置１２に１個の検知機構のみが設けられていても良い。
【００７７】
本実施形態では、各アクチュエーター５３、６８がベース部材１６に回転可能に支持される場合について説明した。一方で、他の異なる実施形態では、各アクチュエーター５３、６８がカバー１７に回転可能に支持されていても良い。
【００７８】
本実施形態では、複合機１に本発明の構成を適用する場合について説明した。一方で、他の異なる実施形態では、プリンター、複写機、ファクシミリ等の複合機１以外の画像形成装置に本発明の構成を適用することも可能である。
【符号の説明】
【００７９】
１  複合機（画像形成装置）
１２  原稿搬送装置
１６  ベース部材
１７  カバー
１８  給紙機構
１９  読取機構
２１  上流側検知機構
２２  下流側検知機構
３０  対向面
３１  第１搬送ローラー（搬送部材）
５３  上流側アクチュエーター
５４  上流側センサー
５６  支点部
５７  アーム部
６１  基端部
６２  先端部
６３  当接面
６８  下流側アクチュエーター
６９  下流側センサー
ＣＰ  搬送路
Ｘ  原稿
【図１】
2017208686.tif 000003
【図２】
2017208686.tif 000004
【図３】
2017208686.tif 000005
【図４】
2017208686.tif 000006
【図５】
2017208686.tif 000007
【図６】
2017208686.tif 000008
【図７Ａ】
2017208686.tif 000009
【図７Ｂ】
2017208686.tif 000010